(57)【要約】      （修正有）【課題】携帯電話の液晶の正確な位置に貼り付けることができる液晶保護フィルムを提供する。【解決手段】液晶保護フィルムは、携帯電話の液晶面との粘着のために底面に粘着剤が塗布された液晶フィルム１０３と、液晶フィルムの下部に貼り付けられた有色粘着面の保護フィルム１０２と、有色粘着面の保護フィルムに形成された切り取り線１０４、及び切り取り線を介して有色粘着面の保護フィルムが分割されて形成された切り取り部１０５と、を含んで構成される。切り取り部の保護フィルムを除去し、液晶フィルムの粘着面が一部のみ露出した状態で残っている有色粘着面の保護フィルムを目印にして、携帯電話の液晶面に液晶フィルムを正確に貼り付けることができる。【選択図】図３
0003206055.tif 000002
【実用新案登録請求の範囲】
【請求項１】
携帯電話の液晶面と粘着のために底面に粘着剤が塗布された液晶フィルム（１０３）と、
前記液晶フィルム（１０３）の下部に貼り付けられた有色粘着面の保護フィルム（１０２）と、
前記有色粘着面の保護フィルム（１０２）に形成された切り取り線（１０４）と、
前記切り取り線（１０４）を介して有色粘着面の保護フィルム（１０２）が分割されて形成された切り取り部（１０５）と、を含んで構成され、前記液晶フィルム（１０３）上には異物の流入を防止するため、別途のフィルムがさらに貼り付けられたことを特徴とする有色粘着面の保護フィルムと切り取り線を用いた携帯電話の液晶保護フィルム。
【請求項２】
前記切り取り線（１０４）及び切り取り部（１０５）が形成された有色粘着面の保護フィルム（１０２）の下部に貼り付けられた保護フィルム（１０１）をさらに含んで構成されたことを特徴とする請求項１に記載の有色粘着面の保護フィルムと切り取り線を用いた携帯電話の液晶保護フィルム。
【請求項３】
前記切り取り線（１０４）は、液晶保護フィルム（１００）の一側に偏って形成され、前記切り取り部（１０５）には、携帯電話のスピーカー、カメラのレンズやホームボタンの枠線が形成されることにより切り取り部（１０５）を除去して携帯電話の液晶に貼り付けるときに、前記スピーカー、カメラのレンズやホームボタンの枠線に沿って携帯電話の液晶の正確な位置に貼り付けることができるように構成されたことを特徴とする請求項１に記載の有色粘着面の保護フィルムと切り取り線を用いた携帯電話の液晶保護フィルム。
【考案の詳細な説明】
【技術分野】
【０００１】
本考案は、携帯電話の液晶に貼り付けて液晶のスクラッチや破損を未然に防止する液晶保護フィルムに関し、特に、液晶保護フィルムを携帯電話の液晶に迅速かつ正確に貼り付けることができるように構成された有色粘着面の保護フィルムと切り取り線を用いた携帯電話の液晶保護フィルム及びこれを用いた貼り付け方法に関する。
【背景技術】
【０００２】
一般的に携帯電話、特にスマートフォンは、各種の映像情報をユーザーに示すためのディスプレイデバイスが構成されている。
【０００３】
このような携帯電話は、ほとんどポケットやバッグに携帯しているため、携帯電話が他のものにぶつかって液晶にスクラッチが多く発生したり、手に握っていたが、落として液晶にスクラッチが発生することがよく起こる。
【０００４】
このような理由から、大多数のユーザーは、携帯用ディスプレイの液晶の表面に液晶保護フィルムを貼り付けて携帯電話の液晶にスクラッチが発生することを未然に防止している。
【０００５】
従来の携帯電話の液晶保護フィルムは、図１に示すように、液晶フィルム１２の下部に粘着面保護フィルム１１が貼り付けられ、液晶フィルム１２の上部に保護フィルム１３が貼り付けられ、前記粘着面の保護フィルム１１と保護フィルム１３の一側にそれぞれ粘着面の保護フィルムのタブ１５と保護フィルムのタブ１４が構成されている。
【０００６】
液晶フィルム１２は、携帯電話の液晶と接する面に粘着剤が塗布されるが、前記粘着面の保護フィルム１１は、液晶フィルム１２の粘着面を保護するフィルムであり、保護フィルム１３は、液晶フィルム１２の上部に貼り付けられて液晶フィルム１２を保護する役割をする。
【０００７】
前記のように構成された従来の液晶保護フィルムを貼り付ける方法は、図２に示すように、ユーザーが粘着面の保護フィルムのタブ１５を、一部剥がして液晶フィルム１２を携帯電話の液晶に一時的に貼り付けた後、正確な貼り付け位置を予想した後に粘着面の保護フィルムのタブ１５を剥がして携帯電話の液晶に液晶フィルム１２を貼り付ける。
【０００８】
そして、保護フィルムのタブ１４を握って液晶フィルム１２の上部に貼り付けられた保護フィルム１３を除去することにより、液晶フィルム１２の貼り付けが終了する。
【０００９】
しかし、ユーザーが液晶フィルム１２を携帯電話の液晶に正確に貼り付けることは、極めて困難である。例えば、粘着面の保護フィルム１１を一部除去してユーザーが液晶フィルム１２の正確な位置を予想して液晶フィルム１２を携帯電話の液晶に貼り付けても、ほとんどの液晶フィルム１２がずれた位置で液晶に貼り付けられることが頻繁に発生する。
【００１０】
すると、ユーザーは、携帯電話の液晶から液晶フィルム１２を再び剥がして正確な位置に補正する過程で、液晶フィルム１２と携帯電話の液晶との間に気泡が発生したり、ほこりが入って液晶フィルム１２がきれいに貼り付けられない問題点があった。
【考案の概要】
【考案が解決しようとする課題】
【００１１】
本考案は、前記のような問題点を解決するために案出されたものであって、ユーザーが携帯電話の液晶に液晶保護フィルムを貼り付けるとき、何度も貼って剥がして貼り付け位置を補正する必要がなく、一度に液晶フィルムを正確な位置に簡単に貼り付けることができるように構成された有色粘着面の保護フィルムと切り取り線を用いた携帯電話の液晶保護フィルム及びこれを用いた液晶保護フィルム貼り付け方法を提供することが、本考案の目的である。
【課題を解決するための手段】
【００１２】
前記のような目的を達成するため、本考案による有色粘着面の保護フィルムと切り取り線を用いた携帯電話の液晶保護フィルムは、携帯電話の液晶面と粘着のために底面に粘着剤が塗布された液晶フィルムと、前記液晶フィルムの下部に貼り付けられた有色粘着面の保護フィルムと、前記有色粘着面の保護フィルムに形成された切り取り線と、前記切り取り線を介して有色粘着面の保護フィルムが分割されて形成された切り取り部と、を含んで構成される。
【００１３】
このとき、前記切り取り線及び切り取り部が形成された有色粘着面の保護フィルムの下部に貼り付けられた保護フィルムと、をさらに含んで構成されたことを特徴とする。
【００１４】
また、前記切り取り線は、液晶保護フィルムの一側に偏って形成され、前記切り取り部には、携帯電話のスピーカー、カメラのレンズやホームボタンの枠線が形成されることにより、切り取り部を除去して携帯電話の液晶に貼り付けたときに、前記枠線に沿って携帯電話の液晶の正確な位置に貼り付けることができるように構成されたことを特徴とする。
【００１５】
そして、本考案による有色粘着面の保護フィルムと切り取り線を用いた携帯電話の液晶保護フィルムの貼り付け方法は、有色粘着面の保護フィルムから切り取り線で分割された切り取り部を除去する段階と、前記切り取り部を除去して現れた液晶フィルムの部分と、残りの有色粘着面の保護フィルムで携帯電話の液晶の枠を合わせて液晶フィルムの貼り付け位置を予想して調整する段階と、前記液晶フィルムの端部に一部現れた粘着面を携帯電話の液晶の端部に貼り付けて固定した状態で、残りの有色粘着面の保護フィルムを除去する段階と、前記有色粘着面の保護フィルムを除去した後、液晶フィルムの粘着面を、携帯電話の液晶に貼り付ける段階と、から構成される。
【００１６】
このとき、前記接着面の保護フィルムの下部に貼り付けられた保護フィルムが構成されることにより、前記切り取り部を除去する段階以前に前記下部に貼り付けられた保護フィルムを除去する段階をさらに含んで構成されたことを特徴とする。
【００１７】
また、前記切り取り線は、液晶保護フィルムの一側に偏って形成され、前記切り取り部には、携帯電話のスピーカー、カメラのレンズやホームボタンの枠線が形成されることにより、切り取り部を除去して携帯電話の液晶に貼り付けたときに、前記枠線に沿って携帯電話の液晶の正確な位置に貼り付けることができるように構成されたことを特徴とする。
【考案の効果】
【００１８】
前記のように構成された本考案による有色粘着面の保護フィルムと切り取り線を用いた液晶保護フィルム及びこれを用いた液晶保護フィルムの貼り付け方法は、ユーザーが携帯電話の液晶に液晶フィルムを貼り付けるときに、何度も貼って剥がして貼り付け位置を修正することなく、切り取り部と有色粘着面の保護フィルムを用いて液晶フィルムを正確な位置に簡単に一度に貼り付けることができるので、液晶フィルムを迅速かつ綺麗に貼り付けることができる。
【図面の簡単な説明】
【００１９】
【図１】従来の携帯電話の液晶保護フィルムの断面を示す断面図である。
【図２】従来の携帯電話の液晶保護フィルムを貼り付ける状態を示す斜視図である。
【図３】本考案による携帯電話の液晶保護フィルムを示す斜視図である。
【図４】図３のＡ−Ａ線断面図である。
【図５】本考案による携帯電話の液晶保護フィルムを、携帯電話の液晶に貼り付ける過程を順次的に示す図である。
【図６】本考案による携帯電話の液晶保護フィルムを、携帯電話の液晶に貼り付ける過程を順次的に示す図である。
【図７】本考案による携帯電話の液晶保護フィルムを、携帯電話の液晶に貼り付ける過程を順次的に示す図である。
【図８】本考案による携帯電話の液晶保護フィルムを、携帯電話の液晶に貼り付ける過程を順次的に示す図である。
【図９】本考案による携帯電話の液晶保護フィルムを、携帯電話の液晶に貼り付ける過程を順次的に示す図である。
【考案を実施するための形態】
【００２０】
以下、本考案の好適な実施例および添付図面を参照して本考案を詳細に説明するが、図面の同じ参照符号は、同じ構成要素を示すことを前提として説明する。
【００２１】
考案の詳細な説明、又は実用新案登録請求の範囲において、いずれかの構成要素が他の構成要素を「含む」とするとき、これは特に反対される記載がない限り、当該構成要素のみからなるものに限定されて解釈されず、他の構成要素をさらに含むことができるものと理解されなければならない。
【００２２】
以下、携帯電話の液晶保護フィルム及びこれを用いた液晶保護フィルム貼り付け方法が具現された一例を、特定の実施例を介して説明する。
【００２３】
図３は、本考案による携帯電話の液晶保護フィルムを示す斜視図であり、図４は、図３のＡ−Ａ線断面図であり、図５〜図８は、本考案による携帯電話の液晶保護フィルムを、携帯電話の液晶に貼り付ける過程を順次的に示す図である。
【００２４】
本考案による携帯電話の液晶保護フィルム１００は、図４に示すように、液晶フィルム１０３の下部に有色粘着面の保護フィルム１０２が貼り付けられ、前記有色粘着面の保護フィルム１０２の下部に貼り付けられた保護フィルム１０１が貼り付けられる。
【００２５】
前記液晶フィルム１０３は、携帯電話の液晶に貼り付けられてスクラッチと破損から携帯電話の液晶を保護するフィルムであり、前記液晶フィルム１０３の下部に貼り付けられた有色粘着面の保護フィルム１０２は、携帯電話の液晶との貼り付けのために液晶フィルム１０３の下部に形成された粘着面を保護し、有色で形成されて携帯電話の液晶の貼り付け位置を予想しやすく考案された粘着面保護フィルムであり、下部に貼り付けられた保護フィルム１０１は、前記有色粘着面の保護フィルム１０２の原型を保存するためのフィルムである。一方、液晶フィルム１０３は、携帯電話の液晶上に直接貼り付けられるフィルムであって、前記液晶フィルム１０３上には、異物流入防止などのために液晶フィルムを保護するための別途のフィルムをさらに貼り付けることができる。
【００２６】
図３に示すように、本考案による液晶保護フィルム１００は、一側に偏って形成された切り取り線１０４で分割された切り取り部１０５が形成されるが、前記切り取り線１０４と切り取り部１０５は、図４の有色粘着面の保護フィルム１０２に形成される。前記切り取り部１０５は、有色粘着面の保護フィルム１０２上で横方向だけでなく、縦及び対角線方向などの用途や必要に応じて多様に形成することができる。
【００２７】
切り取り線１０４及び切り取り部１０５が形成された有色粘着面の保護フィルム１０２は、その下部に貼り付けられた保護フィルム１０１が貼り付けられることにより、切り取り線１０４で分割された切り取り部１０５が任意に離れることを防止し、フィルムを携帯電話の液晶に予想して調整して貼り付けるとき、有色粘着面の保護フィルム１０２が、携帯電話の液晶面に異物や埃が付くことを防止して、きれいな液晶フィルム１０３を携帯電話の液晶に貼り付けることができるようにする。前記有色粘着面の保護フィルム１０２は、様々な色を持つことができ、特定の製品名及び会社のロゴなどの様々な文様を入れることができるので、広告宣伝効果を享受できるようにする。
【００２８】
一方、前記有色粘着面の保護フィルム１０２の側面には、一体型ハンドル１０６が形成される。前記一体型ハンドル１０６は、有色粘着面の保護フィルム１０２の除去を容易にする。
【００２９】
前記のように構成された本考案による液晶保護フィルム１００を携帯電話の液晶に貼り付ける過程について説明する。
【００３０】
図５に示すように、液晶保護フィルム１００の最下部に形成されて粘着面保護フィルム１０２に形成された切り取り部１０５を保護する下部に貼り付けられた保護フィルム１０１を除去する。下部に貼り付けられた保護フィルム１０１の側面には、有色粘着面の保護フィルム１０２の側面に形成された一体型ハンドル１０６と同じ形状のハンドルが、別途形成されることができる。
【００３１】
そして、図６に示すように、有色粘着面の保護フィルム１０２の一側に偏って形成された切り取り線１０４に沿って有色粘着面の保護フィルム１０２が分割されて液晶保護フィルム１００の上部の一側に形成された切り取り部１０５を除去した後、前記切り取り部１０５を除去した後に現れた液晶フィルム１０３の一部分と、残りの有色粘着面の保護フィルム１０２の枠の部分を用いて携帯電話の液晶に貼り付ける位置を予想する。ここで、切り取り部１０５を除去する場合には、側面に形成された第１のハンドル１０６ａを介して簡単に行う。
【００３２】
前記のように切り取り部１０５を除去すると、液晶フィルム１０３の粘着面が一部のみ  露出した状態で残っている有色粘着面の保護フィルム１０２を用いて、携帯電話の液晶に液晶フィルム１０３を貼り付ける正確な位置を予想した後、前記一部のみ露出した粘着面を、携帯電話の液晶の上端または下端に液晶フィルム１０３を貼り付けて固定させ、残りの有色粘着面の保護フィルム１０２を除去した後、携帯電話の液晶に貼り付けることにより、正確な位置で携帯電話の液晶に液晶フィルム１０３を貼り付けることができる。
【００３３】
このとき、図７に示すように、液晶保護フィルム１００の上部には、携帯電話のスピーカー及びカメラのレンズの枠に沿って枠線が形成されているので、切り取り部１０５を除去して現れた粘着面を、携帯電話の上部に貼り付けるが、液晶フィルム１０３の上部が、携帯電話のスピーカーやカメラのレンズの枠に合うように貼り付けることにより、より正確な位置で携帯電話の液晶に液晶保護フィルム１００を貼り付けることができる。
【００３４】
本考案の実施例では、切り取り部１０５が液晶保護フィルム１００の上部に形成されたものと説明したが、前記切り取り部１０５は、液晶保護フィルム１００の下部に形成することもできる。このように切り取り部１０５が液晶保護フィルム１００の下部に形成された場合は、切り取り部１０５を除去したとき、携帯電話のホームボタンの枠線に合うように成形された液晶保護フィルム１００を携帯電話の液晶の下部に貼り付ける。
【００３５】
前記有色粘着面の保護フィルム１０２は、有色フィルムで成形することにより、図７のように、携帯電話の液晶に液晶フィルム１０３を貼り付ける位置を予想するとき、有色粘着面の保護フィルム１０２により、ユーザーは、正確な位置を予想することができる。
【００３６】
前記のように有色粘着面の保護フィルム１０２で液晶フィルム１０３を貼り付ける正確な位置を予想した後、図８のように、残りの有色の粘着面の保護フィルム１０２を除去しながら図８のように、携帯電話の液晶に液晶フィルム１０３を貼り付けることにより、携帯電話の液晶に保護フィルム１０３の貼り付けが一度に完了される。ここで、残りの有色粘着面の保護フィルム１０２を除去する場合には、側面に形成された第２のハンドル１０６ｂを介して簡単に行う。
【００３７】
前記のように液晶フィルム１０３の一部が、携帯電話の液晶に貼り付けられている状態なので、残りの粘着面の保護フィルム１０２を除去するとき、液晶フィルム１０３の貼り付け位置がずれないで、正確な位置に液晶フィルム１０３を貼り付けることができる。
【００３８】
そして、製作過程、流通、及び携帯電話の液晶に液晶フィルム１０３を貼り付ける過程で液晶フィルム１０３の表面にスクラッチが発生したり、異物が付くことを防止するために液晶フィルム１０３の表面に液晶フィルム１０３を保護するための液晶フィルムの保護面を構成することもできる。
【００３９】
前記液晶フィルムの保護面は、液晶フィルム１０３を携帯電話の液晶に貼り付けた後、除去することにより、液晶フィルム１０３を携帯電話の液晶に貼り付けるまで、液晶フィルム１０３の表面にスクラッチが発生したり、異物が付いて汚染されることを防止する。
【００４０】
前記のように構成された本考案による携帯電話の液晶保護フィルム１００は、有色粘着面の保護フィルム１０２の一側に偏った切り取り線１０４を形成して切り取り部１０５を形成することにより、携帯電話の液晶に保護フィルムを貼り付けるとき、前記切り取り部１０５を除去した後、残りの有色粘着面の保護フィルム１０２を介して液晶フィルム１０３を携帯電話の液晶に対応するように正確な位置を予想した後、切り取り部１０５を除去して現れた粘着面を携帯電話の液晶の端部に貼り付けて固定し、残りの有色粘着面の保護フィルム１０２を除去して液晶フィルム１０３を携帯電話の液晶に貼り付けることにより、ユーザーは、簡単かつ正確な位置に液晶フィルム１０３を一度に貼り付けることができる。
【００４１】
以上、本考案による携帯電話の液晶保護フィルムについて説明した。前記本考案の技術的構成は、本考案が属する技術分野の当業者がその技術的思想や必須的特徴を変更せずに他の具体的な形態で実施されることがあることを理解できるだろう。
【００４２】
したがって、以上で記述した実施例は、すべての面で例示的なものであり限定的ではないものと理解されなければならず、本考案の範囲は、前述した詳細な説明よりも後述する実用新案登録請求の範囲によって示され、実用新案登録請求の範囲の意味や範囲とその等価概念から導き出されるすべての変更または変形された形態が、本考案の範囲に含まれるものと解釈されるべきである。
【符号の説明】
【００４３】
１００：液晶保護フィルム
１０１：下部に貼り付けられた保護フィルム
１０２：有色粘着面の保護フィルム
１０３：液晶フィルム
１０４：切り取り線
１０５：切り取り部
１０６：一体型ハンドル
【図１】
0003206055.tif 000003
【図２】
0003206055.tif 000004
【図３】
0003206055.tif 000005
【図４】
0003206055.tif 000006
【図５】
0003206055.tif 000007
【図６】
0003206055.tif 000008
【図７】
0003206055.tif 000009
【図８】
0003206055.tif 000010
【図９】
0003206055.tif 000011